(57)【特許請求の範囲】
【請求項１】
射出部に装填される止め具を打撃するドライバビットと、前記ドライバビットに往復運動を与えて前記射出部より前記止め具を打込む打撃駆動手段と、前記打撃駆動手段の起動または停止を制御するために所定方向に引き込み操作可能なトリガ手段と、前記トリガ手段および前記打撃駆動手段を機械的または電気的に結合する可動手段と、前記トリガ手段の引き込み操作をロックするロック位置または該ロック位置のロック状態を解除して前記トリガ手段の引き込み操作を可能とするロック解除位置を択一的に設定することが可能なロック手段とを具備する打込機において、
前記トリガ手段は、前記ロック手段が前記ロック位置にある場合、前記打撃駆動手段を起動停止状態に保持し、前記ロック手段が前記ロック位置から前記ロック解除位置に解除された場合、前記打撃駆動手段を停止解除状態とするように、前記可動手段を介して前記打撃駆動手段に機械的または電気的に結合されて成り、
前記ロック手段は、前記トリガ手段の引き込み操作をする度に、前記ロック位置から前記ロック解除位置に操作する解除操作手段と、前記トリガ手段の引き込み操作を開放したとき、前記ロック解除位置から前記ロック位置に自動的に復帰させる自動復帰手段とを具備し、前記ロック手段は、前記トリガ手段の引き込み操作方向と交差する方向に可動可能なロックボタンを有し、前記ロック位置から前記ロック解除位置への解除は、前記ロックボタンを可動させることを特徴とする打込機。
【請求項２】
前記自動復帰手段は、前記トリガ手段の引き込み操作を開放した場合、前記ロック手段が前記ロック位置において前記トリガ手段と係合するように、前記ロック手段を前記トリガ手段に対して付勢する押圧部材によって構成されていることを特徴とする請求項１に記載された打込機。
【請求項３】
前記打込機は、一端が前記射出部の先端部に位置して、他端が前記トリガ手段に機械的に結合されたコンタクトアームをさらに具備し、該コンタクトアームが被取付部材に接触している場合で、前記ロック手段が前記ロック位置から前記ロック解除位置に解除されたときに、前記トリガ手段の引き込み操作に基づいて前記止め具の打込み動作を可能にするように構成したことを特徴とする請求項１又は請求項２に記載された打込機。
【請求項４】
一端部より他端部に延在する胴体ハウジング部および該胴体ハウジング部より分岐して延びるハンドルハウジング部を有するハウジングと、前記胴体ハウジング部の前記一端部側に設けられ、射出路を有する射出部と、前記射出路に止め具を給送するために、連結止め具を保持するマガジンと、前記胴体ハウジング内に装着されて前記射出部に装填される止め具を打込むドライバビットを含む打撃駆動手段と、前記ハンドルハウジング部に設けられ、所定方向に引き込み操作可能なトリガと、前記トリガの引き込み操作により該トリガと当接可能な位置に配置され、前記トリガの引き方向と反対方向に第１の押圧手段によって付勢されたスイッチプランジャを有し、前記スイッチプランジャの付勢力に抗して前記トリガから押圧力を受けた場合、前記打撃駆動手段の起動を制御する起動用スイッチと、前記射出部に位置する下端部から前記トリガ近傍に位置する上端部まで前記ドライバビットの移動方向と並行して延在するコンタクトアームであって、前記射出部に対して移動可能に支持され、かつ第２の押圧手段によって常時上死点側に付勢されたコンタクトアームと、前記トリガ内に枢支部を介して回動可能に支持されたトリガアームであって、その一部が前記スイッチプランジャに対して係合可能に配置され、かつその自由端部が前記コンタクトアームに当接、係合するトリガアームと、を具備する打込機であって、
前記ハンドルハウジング部の前記トリガ近傍に位置し、ロック解除位置からロック位置に第３の押圧手段によって付勢され、かつ前記両位置間で移動可能なロックスイッチをさらに具備し、前記ロックスイッチは、前記第３の押圧手段で付勢されている前記ロック位置で前記トリガに当接し前記トリガの引き込み操作を妨げ、一方、前記第３の押圧手段の付勢力に抗して前記ロック位置から前記ロック解除位置に移動させたとき、前記トリガとの当接が外れて前記トリガの引き込み操作を可能とするように構成し、
前記コンタクトアームは、前記トリガの引き込み操作と協働して前記起動用スイッチをＯＮさせ、かつ前記上死点から下降する途中で、前記トリガアームの前記自由端部と前記コンタクトアームの前記上端部の係合状態が外れて、前記第２の押圧手段により前記上死点に復帰するように構成したことを特徴とする打込機。
【請求項５】
前記ロックスイッチは、前記トリガの引き込み操作方向に対し直交方向に配置し、前記第３の押圧手段によって常時中央部のロック位置に付勢し、かつ前記第３の押圧手段による付勢力に抗して左右両方向のいずれか一方向に移動することによって、前記ロック位置から前記ロック解除位置に移動し、前記トリガとの当接を外して前記トリガの引き込み操作を可能にするように構成したことを特徴とする請求項４に記載された打込機。
【発明の詳細な説明】
【技術分野】
【０００１】
本発明は、釘、鋲、ステープル等の止め具を被取付部材に打込む打込機に関し、特に、意図しない止め具の発射を防止するための打込機の安全機構に関するものである。
【背景技術】
【０００２】
空気圧縮機から圧縮空気を打込機本体に供給して空気圧を利用する圧縮空気方式、小形ガスボンベを打込機本体に搭載してボンベの貯蔵ガスを燃焼させるガス燃焼方式、蓄電池および電動モータを打込機本体に搭載して電動モータの駆動力を利用する電動モータ方式等の駆動源（動力源）を利用し、マガジンに装填された連結止め具を、ドライバガイドの先端から、順次、一本毎に打ち出す可搬形打込機が周知である。この種の打込機において、一般に、打込み作業以外の意図しない時の止め具の誤発射を防止するために、ドライバガイドの先端部近傍からトリガ部近傍に延在するコンタクトアームを設けた安全機構が採用されている。この安全機構によれば、コンタクトアームの先端が木材等の被取付部材に押し付けられた場合にのみ、コンタクトアームの他端が上方へ後退させられてトリガ機構に係合するので、始めてトリガの操作を有効とし、次いでトリガの引き込み操作をすれば、止め具が発射されて被取付部材に打ち込むことができる。
【０００３】
一方、下記特許文献１に開示されているように、本願出願人が先に提案した技術によれば、初期状態でコンタクトアームを、常時、上死点に付勢しておき、射出部先端のコンタクトアームに被取付部材が接触していない場合は、トリガの引き込み操作を行っても、コンタクトアームが下方に移動するだけで、打撃駆動部の起動ができない安全機構となっている。この技術によれば、コンタクトアーム先端部を被取付部材に強く押し付ける必要がないので、取付部材の仕上りおよび作業性が良好となり、かつ打込み効率および操作性を向上できるという利点がある。
【０００４】
【特許文献１】特開２００５−７５４７号公報
【発明の開示】
【発明が解決しようとする課題】
【０００５】
しかしながら、上記従来技術の１番目の安全機構では、初期状態でコンタクトアームが常時下死点に付勢され、止め具を打込みたい時にコンタクトアームの先端を被取付部材に押し付けるので、コンタクトアームが被取付部材以外の何かに接触し、下死点への付勢力に抗して上方に押込まれている場合、作業者は、コンタクトアームの位置が初期状態と違うことに気づかないまま、トリガの引き込み操作を行なってしまうという問題がある。また、トリガを引いた状態で止め具打込機を運搬する際、何等かの原因によりコンタクトアームが押込まれてしまうという問題も考えられる。このような場合、意図しない止め具の発射が行われることになる。
【０００６】
一方、特許文献１に開示されたような、初期状態でコンタクトアームが上死点側に付勢された安全機構では、射出部先端に取付部材以外の何かが接触している状態で、使用者が打込機本体を持ち上げようとハンドルを把持し、同時に、誤って指でトリガを引いてしまった場合、意図せずに止め具が発射されてしまうという問題がある。この問題は、射出部先端に何かが接触しているか否かに係らず、コンタクトアームの位置に変化がないために、使用者が射出部先端に何かが接触していることに気付き難いということに起因する。
【０００７】
従って、本発明の目的は、上記した従来技術の欠点をなくし、意図しない止め具の発射をより完全に防止した打込機を提供することにある。
【０００８】
本発明の他の目的は、操作性と安全性を両立した打込機を提供することにある。
【課題を解決するための手段】
【０００９】
上記目的を達成するために、本願において開示される発明のうち代表的なものの概要を説明すれば、以下のとおりである。
【００１０】
本発明の一つの特徴によれば、射出部に装填される止め具を打撃するドライバビットと、前記ドライバビットに往復運動を与えて前記射出部より前記止め具を打込む打撃駆動手段と、前記打撃駆動手段の起動または停止を制御するために所定方向に引き込み操作可能なトリガ手段と、前記トリガ手段および前記打撃駆動手段を機械的または電気的に結合する可動手段と、前記トリガ手段の引き込み操作をロックするロック位置または該ロック位置のロック状態を解除して前記トリガ手段の引き込み操作を可能とするロック解除位置を択一的に設定することが可能なロック手段とを具備する打込機において、前記トリガ手段は、前記ロック手段が前記ロック位置にある場合、前記打撃駆動手段を起動停止状態に保持し、前記ロック手段が前記ロック位置から前記ロック解除位置に解除された場合、前記打撃駆動手段を停止解除状態とするように、前記可動手段を介して前記打撃駆動手段に機械的または電気的に結合されて成り、前記ロック手段は、前記トリガ手段の引き込み操作をする度に、前記ロック位置から前記ロック解除位置に操作する解除操作手段と、前記トリガ手段の引き込み操作を開放したとき、前記ロック解除位置から前記ロック位置に自動的に復帰させる自動復帰手段とを具備し、前記ロック手段は、前記トリガ手段の引き込み操作方向と交差する方向に可動可能なロックボタンを有し、前記ロック位置から前記ロック解除位置への解除は、前記ロックボタンを可動させるように構成されている。
【００１２】
本発明のさらに他の特徴によれば、前記自動復帰手段は、前記トリガ手段の引き込み操作を開放した場合、前記ロック手段が前記ロック位置において前記トリガ手段と係合するように、前記ロック手段を前記トリガ手段に対して付勢する押圧部材によって構成されている。
【００１３】
本発明のさらに他の特徴によれば、前記打込機は、一端が前記射出部の先端部に位置して、他端が前記トリガ手段に機械的に結合されたコンタクトアームをさらに具備し、該コンタクトアームが被取付部材に接触している場合で、前記ロック手段が前記ロック位置から前記ロック解除位置に解除されたときに、前記トリガ手段の引き込み操作に基づいて前記止め具の打込み動作を可能にするように構成されている。
【００１６】
本発明のさらに他の特徴によれば、一端部より他端部に延在する胴体ハウジング部および該胴体ハウジング部より分岐して延びるハンドルハウジング部を有するハウジングと、前記胴体ハウジング部の前記一端部側に設けられ、射出路を有する射出部と、前記射出路に止め具を給送するために、連結止め具を保持するマガジンと、前記胴体ハウジング内に装着されて前記射出部に装填される止め具を打込むドライバビットを含む打撃駆動手段と、前記ハンドルハウジング部に設けられ、所定方向に引き込み操作可能なトリガと、前記トリガの引き込み操作により該トリガと当接可能な位置に配置され、前記トリガの引き方向と反対方向に第１の押圧手段によって付勢されたスイッチプランジャを有し、前記スイッチプランジャの付勢力に抗して前記トリガから押圧力を受けた場合、前記打撃駆動手段の起動を制御する起動用スイッチと、前記射出部に位置する下端部から前記トリガ近傍に位置する上端部まで前記ドライバビットの移動方向と並行して延在するコンタクトアームであって、前記射出部に対して移動可能に支持され、かつ第２の押圧手段によって常時上死点側に付勢されたコンタクトアームと、前記トリガ内に枢支部を介して回動可能に支持されたトリガアームであって、その一部が前記スイッチプランジャに対して係合可能に配置され、かつその自由端部が前記コンタクトアームに当接、係合するトリガアームと、を具備する打込機であって、前記ハンドルハウジング部の前記トリガ近傍に位置し、ロック解除位置からロック位置に第３の押圧手段によって付勢され、かつ前記両位置間で移動可能なロックスイッチをさらに具備し、前記ロックスイッチは、前記第３の押圧手段で付勢されている前記ロック位置で前記トリガに当接し前記トリガの引き込み操作を妨げ、一方、前記第３の押圧手段の付勢力に抗して前記ロック位置から前記ロック解除位置に移動させたとき、前記トリガとの当接が外れて前記トリガの引き込み操作を可能とするように構成し、前記コンタクトアームは、前記トリガの引き込み操作と協働して前記起動用スイッチをＯＮさせ、かつ前記上死点から下降する途中で、前記トリガアームの前記自由端部と前記コンタクトアームの前記上端部の係合状態が外れて、前記第２の押圧手段により前記上死点に復帰するように構成されている。
【００１７】
本発明のさらに他の特徴によれば、前記ロックスイッチは、前記トリガの引き込み操作方向に対し直交方向に配置し、前記第３の押圧手段によって常時中央部のロック位置に付勢し、かつ前記第３の押圧手段による付勢力に抗して左右両方向のいずれか一方向に移動することによって、前記ロック位置から前記ロック解除位置に移動し、前記トリガとの当接を外して前記トリガの引き込み操作を可能にするように構成されている。
【発明の効果】
【００１８】
上記本発明によれば、射出部先端が木材や体の一部等に接触した状態で、打込機本体のハンドルを把持し、かつ意図せずにトリガを把持した場合でも、トリガ手段は、ロック手段によるロックが解除されない限り、ロック手段により引き込み操作が阻止されるので、不意な止め具の発射を防止することができる。
【００１９】
本発明によれば、ロック手段は、使用者がトリガ手段の引き込み操作をする度にロック位置からロック解除位置に操作するので、より完全に止め具の誤発射を防止できる。一方、前記トリガ手段の引き込み操作を開放したときは、ロック手段が、自動復帰手段によってロック解除位置からロック位置に自動的に復帰するので、トリガ手段の引き込み操作を開放したときは、必ずロック手段がトリガ手段をロックできる。
【００２０】
さらに、本発明によれば、トリガ手段の引き込み操作方向と直交もしくは交差する方向にロック手段を操作するので、ハンドルハウジング部を把持する手によって、ロック手段（ロックスイッチ）をロック解除位置に押し込みながら、トリガ手段の引き込み操作を可能とし、これによって、ロック手段のロック解除が極めて容易となる。逆に、ロック手段をロック位置に戻すときは、トリガ手段の引き込み操作を完全に開放するだけで、自動的にロック位置に復帰できるので、安全性を確保しながら、操作性を向上させることができる。特に、本発明によれば、トリガ手段の把持を開放するだけで、自動的にロックされる構造となっているので、安全性と操作性を両立させることができる。
【００２１】
本発明は、圧縮空気方式、ガス燃焼方式、および電動モータ方式の打込機に適用できるが、エアホースや電源コードを必要とする圧縮空気方式の打込機に比較して、打込み作業終了時に打込機本体から蓄電池やガスボンベの駆動源を取り外すことを忘れがちな電動モータ方式またはガス燃焼方式の打込機に適用して、より顕著な効力を奏する。
【００２２】
本発明の上記およびその他の目的、ならびに上記および他の特徴は、以下の本明細書の記述および添付図面からさらに明らかにされる。
【発明を実施するための最良の形態】
【００２３】
以下、本発明を電動モータ方式の打込機に適用した実施形態について図面を参照して説明する。なお、実施形態を説明するための全図において、同一の機能を有する部材には同一の符号を付し、その繰り返しの説明は省略する。また、本発明の打込機に関する以下の説明では、止め具が打込まれる方向を垂直方向に設置した状態で、便宜上、止め具が打込まれる方向を「下端または下方」、その対向方向を「上端または上方」の意味として表現したが、特別な実施形態または意図に限定するものではない。止め具が打込まれる方向を水平方向に設置した状態では、止め具が打込まれる水平方向の相対向する側を「左方向」および「右方向」の意味として説明することができ、それらはいずれも本発明の要旨を限定するものではない。
【００２４】
図１乃至図１２は、実施形態に係る打込機の動作状態に従った構造図を示す。最初に、図１および図７を参照して打込機の構成について説明する。打込機１は、胴体ハウジング部１０と、胴体ハウジング部１０に収納され、胴体ハウジング部１０の下端側に設けられる後述する射出部２内にある止め具３５（図７参照）を打ち出すためのドライブビット９と、胴体ハウジング部１０の下端から下向きに突出して装設され、止め具３５が打ち出される射出部２と、胴体ハウジング部１０から分岐して設けられたハンドルハウジング部１１と、ハンドルハウジング部１１の端部に着脱可能に装着され、電動モータ１２と電気的接続される蓄電池（電池パック）１３と、射出部２からハンドルハウジング部１１にほぼ平行に延在して配置され、連結止め具３５ａ（図７参照）を装填し、射出部２内に止め具３５を一本毎に供給するマガジン１４と、を具備する。
【００２５】
胴体ハウジング部１０は、動力源となる電動モータ１２の回転動力を伝達するための、一対の摩擦車４１、４３およびベルト４２から成る伝動機構部４０と、伝動機構部４０の出力回転数を減速する減速機構部２６と、該減速機構部２６で減速された回転出力をドラム２８に伝達または切断するためのクラッチ機構部２７と、線材２９に接続された打撃プランジャ８を、打撃バネ７による付勢力に抗して、下死点から上死点へ引き上げるドラム２８と、をさらに内蔵している。
【００２６】
ハンドルハウジング部１１の基部付近には、打込機１の打込み動作を制御する起動用スイッチ１５と、起動用スイッチ１５のスイッチボッタン１５ａと係合可能に配置され、起動用スイッチ１５をＯＮさせるためのスイッチプランジャ１６とが配置されている。またスイッチプランジャ１６の近傍には、ハンドルハウジング部１１の外周を把持する手の指で引き操作（引き込み操作）できるトリガ（トリガ手段）２０が設けられている。
【００２７】
コンタクトアーム４は、射出部２の先端側に位置する先端部（下端部）４ａからトリガ２０の近傍に位置する上端部まで延在し、図６に示すように、スプリング５によってコンタクトアーム４の上下可動方向の上死点に付勢されている。本実施形態では、コンタクトアーム４の先端部４ａは、給送路３０ａ（図６参照）の先頭の止め具３５の打出し口である射出路３（図７参照）の一部を形成し、射出部２を構成するビットガイド３０（図１参照）にガイドされると共にビットガイド３０に往復動可能に支持されている。
【００２８】
コンタクトアーム４と協動した状態でトリガ２０を引き操作すると、スイッチプランジャ１６が、スイッチレバー２３を介してハンドルハウジング部１１に付設された起動用スイッチ１５のスイッチボタン１５ａを押圧し、起動用スイッチ１５をＯＮ状態とし、このＯＮ状態により蓄電池１３に接続したモータ１２が動作する。
【００２９】
モータ１２が動作すると、モータ１２の回転出力は伝動機構部４０を介して減速機構部２６へ伝達される。減速機構部２６により減速された動力は、伝達または切断するクラッチ機構部２７を介してドラム２８を回転させる。ドラム２８が回転すると、線材２９をドラム２８の外周に巻き取り始め、打撃プランジャ８を下死点から上死点に向けて引き上げ、打撃バネ７を圧縮する。ドラム２８は、所定の回転角度を回転すると、クラッチ機構２７によって動力の伝達が切断される。クラッチ機構２７からの動力が切断されると、圧縮された打撃バネ７は、打撃プランジャ８および打撃プランジャ８に装設されたドライバビット９を下死点に向かって打撃する。その結果、ドライバビット９は射出路３に案内されつつ突き出され、これにより、給送路３０ａ（図６参照）内に供給された、先頭の止め具３５が１本づつ射出路３の先端から被取付部材３６へ打ち出される。
【００３０】
本発明に従って、トリガ２０の近傍には、トリガ２０の引き込み操作を有効または無効に切り替えることが可能なロックスイッチ（ロックスイッチ手段）１８がハンドルハウジング部１１の基部（取付部）１１ａ（図３参照）に設けられている。
【００３１】
ロックスイッチ（ロックボタン）１８は、図３に示すように、内蔵されたスプリング１９により、ハンドルハウジング部１１の基部１１ａの中央部に付勢されており、両端がハンドルハウジング部１１の基部１１ａの両壁から突出している。この初期状態（定常状態）において、ロックスイッチ１８の凸部１８ａはトリガ２０の壁部（突出部）２０ａの背後に隣接しており、トリガ２０の引き操作を行っても、ロックスイッチ１８の凸部１８ａとトリガの壁部２０ａが当接し、トリガ２０の引き込み操作を無効にする。すなわち、定常状態において、ロックスイッチ１８は、トリガ２０に対してロック位置に設定されている。
【００３２】
ロックスイッチ１８は、図４および図５に示すように、使用者がスプリング１９による付勢力に抗してボタン突出部１８ｃを左右いずれかの方向から押圧することにより、左右どちらにも移動操作が可能である。図４に示すように、例えば、右方向に一定量移動すると、トリガ２０の壁部２０ａの背後に位置していたロックスイッチ１８の凸部１８ａが、ロックスイッチの凹部１８ｂに入れ替わる。引き続いて、図５に示すように、トリガ２０の引き込み操作を行うと、トリガの壁部２０ａはロックスイッチの凹部１８ｂに潜り込むことによって、トリガ２０の引き込み操作を有効とするように構成されている。すなわち、ロック解除状態において、ロックスイッチ１８は、トリガ２０に対してロック解除位置に設定される。
【００３３】
このように本発明によるロックスイッチ１８は、使用者がトリガ２０の引き込み操作をする度に、ロック位置（凸部１８ａで当接）からロック解除位置（凹部１８ｂで当接）に操作するボタン突出部１８ｃ（解除操作手段）と、使用者がトリガ２０の引き込み操作を開放したとき、ロック解除位置（凹部１８ｂ）からロック位置（凸部１８ａ）に自動的に復帰させるスプリング（自動復帰手段）１９とを具備している。
【００３４】
このような、ロックスイッチ１８によれば、トリガ２０の引き込み操作方向と直交もしくは交差する方向にロックスイッチ１８のボタン突出部１８ｃを操作するので、ハンドルハウジング部１１を把持する手の指、例えば親指、によって、ロックボタン突出部１８ｃをロック解除位置に押し込みながら、人指し指等の他の指によってトリガ２０の引き込み操作を可能とし、これによって、ロックスイッチ１８のロック解除が極めて容易となる。逆に、ロックスイッチ１８をロック位置に戻すときは、トリガ２０の引き込み操作していた指をトリガ２０から完全に開放すれば、スプリング１９の作用によって自動的にロック位置に復帰されるので、安全性を確保しながら、操作性を向上させることができる。特にトリガ２０の把持を開放するだけで、自動的にロックされる構造となっているので、安全性と操作性を両立させることができる。なお、ロックスイッチ１８のロック解除は、ボタン突出部１８ｃを左右いずれの方向に押圧してもよいので、ハンドルを把持する手が右手および左手のいずれでも操作可能となる。
【００３５】
トリガ２０は、図２（図１の部分拡大図）に示すように、回動軸２４を支点として回動操作が可能な如く胴体ハウジング部１０に支持されている。トリガ２０には、一端がトリガ２０に設けられた枢支部２５に枢支されつつ前後に摺動可能なように長穴２１ｃを有するトリガアーム２１が設けられている。トリガアーム２１は、スプリング２２により常時前方すなわち回動軸２４側に押圧されている。トリガアーム２１の最前の位置において、トリガアーム２１の自由端部２１ａがコンタクトアーム上端部４ｃと係合すると共にほぼ中央部２１ｂがスイッチプランジャ先端１６ａと係合するように構成され、トリガアーム２１は、さらに後退する途中で、図１０に示されるように、トリガアーム２１の自由端部２１ａがコンタクトアーム上端部４ｃとの係合が外れるように構成されている。
【００３６】
トリガ２０の中央部には、下方に突出し上下摺動可能に支持されたスイッチプランジャ１６が設けられている。スイッチプランジャ１６が下死点にある時、打込機１はＯＦＦ状態を保ち、スイッチプランジャ１６がスプリング１７の抗力に反して下死点から上死点に移動する過程において起動用スイッチ１５がONとなり、モータ１２が動作し、打込機１の打込み動作を開始する。
【００３７】
連結止め具３５ａ（図７参照）は、側面が接着剤を介して互いに連結されており、連結止め具３５ａを前進させる給送部材３２を収納支持するマガジン１４の前端には打込機本体１に固定されて下方に延びるビットガイド３０（図１参照）が設けられている。給送部材３２（図７参照）は、図示しないスプリングによってビットガイド３０側に押圧されている。
【００３８】
ビットガイド３０は、図６に示すように、略平板状をなし、マガジン１４内の連結止め具３５ａが通過する給送路３０ａが設けられ、給送路３０ａの下側には止め具３５の足先端を支持する足受け部３０ｂ（図７参照）が形成されている。ビットガイド３０（図１参照）の前面には給送路３０ａに平行に延びた案内凸部３０ｃが突出して設けられている。
【００３９】
上記コンタクトアーム４についてさらに説明すれば、図６に示すように、コンタクトアーム４の先端部４ａは、ビットガイド３０の左前面の給送路３０ａの近傍に位置する略平板状を有する。コンタクトアーム４の中間部４ｂ（図１参照）は、ビットガイド３０によって上下摺動可能に支持されている。コンタクトアーム４の先端部４ａには２本の案内竿４ｅが左右略対称に上下方向に延び、ビットガイド３０に突出する案内凸部３０ｃに嵌合して案内される。ビットガイド３０の案内凸部３０ｃをコンタクトアーム先端部４ａの案内溝４ｆ内に位置させることによって、コンタクトアーム４の先端部４ａは、ビットガイド３０に上下動可能に支持される。
【００４０】
コンタクトアーム４はビットガイド３０との間に設けられたスプリング５によって常時上死点側に押圧される。スプリング５の荷重は、スイッチプランジャ１６のスプリング１７により下方に押圧されている荷重より小さく設定されている。
【００４１】
図６に示したビットガイド３０の前面の給送路３０ａ、コンタクトアーム案内竿４ｅ、および案内溝４ｆは、図７に示すように、ガイドプレート３１によってカバーされる。ガイドプレート３１は、ビットガイド３０に設けられたねじ穴に螺合する２個のねじ３３によってビットガイド３０に固定される。これにより、コンタクトアーム４は、ガイドプレート３１とビットガイド３０の間に、上下摺動可能に挟持される。
【００４２】
ガイドプレート３１は、給送路３０ａ（図６参照）の前面に設けられ、連結止め具３５ａを介して給送部材３２に加わるスプリング（図示なし）による押圧力を受けるので、この押圧力はコンタクトアーム４に作用しない。従って、コンタクトアーム４を押し上げているスプリング５の押圧力を給送部材３２の押圧力とは無関係に小さく設定できる。
【００４３】
本実施形態では、コンタクトアーム４の先端部４ａは、ドライバビット９が上下動するためのガイド溝を有する。すなわち、コンタクトアーム４の先端部４ａは、その一部を覆う略平板状のノーズ６と合体して射出路３を形成するように、ねじ３４により固定されている。ノーズ６とコンタクトアーム４は一体となって上下方向に摺動可能となっている。また、図６に示すように、ノーズ６と一体となったコンタクトアーム先端部４ａは、下方に行くに従って細くなるように先細りの形状とされ、２つを合せた下端部の厚さは被取付部材３６の溝３６ａ内に入る厚さ、例えば３．５ｍｍ程度に設定されている。
【００４４】
次に、上記打込機の動作について説明する。ノーズ６と一体となって射出路３を形成するコンタクトアーム先端部４ａを被取付部材３６の溝３６ａの表面に軽く当てる。次にロックスイッチ１８の押し操作を行うが、初期状態ではロックスイッチ１８の凸部１８ａがトリガ２０の壁部２０ａに当接しているため、トリガ２０の引き込み操作をすることはできない。これによって不用意な止め具の発射が防止される。
【００４５】
次に、ロックスイッチ１８のスプリング１９の付勢力に対抗してロックスイッチ１８の移動操作を行うと、ロックスイッチ１８の溝部１８ｂがトリガ２０の壁２０ａの背後に移動するので、トリガの引き込み操作が可能となる。打込機1を起動させるべくトリガ２０の引き込み操作を行うと、トリガ２０が回動軸２４を中心にスイッチプランジャ１６側に回動する。これによりトリガアーム２１の枢支部２５が上方に移動するためトリガアーム２１の中央部２１ｂがスイッチプランジャ先端部１６ａに当接する。
【００４６】
この結果、図７に示すように、スイッチプランジャ１６の先端部１６ａが支点となり、また枢支部２５が力点となってトリガアーム２１の自由端部２１ａがコンタクトアーム上端部４ｃを押し下げようとする。しかしながら、図７に示すようにコンタクトアーム４の先端部４ａが被取付部材３６の溝３６ａの表面に当接している場合は、コンタクトアーム４の下降が阻止されているので、スイッチプランジャ１６は、コンタクトアーム４を押し下げられない。この下降阻止によって、コンタクトアーム４が移動しないため、トリガ２０の引き込み操作に伴い、スイッチプランジャ１６の先端部１６ａが力点となり、また枢支部２５が支点となって、スイッチプランジャ１６はトリガアーム２１の中央部２１ｂによって押し上げられる。これにより、スイッチレバー２３が、回動して起動スイッチ１５のスイッチボタン１５ａをＯＮさせて、打込機本体１の動作が開始され、給送路３０ａ内の止め具３５は射出路３からドライバビット９によって打ち出される。（図７参照）
ドライバビット９によって止め具３５が被取付部材３６に打込まれると、打込機１は、図８に示すように、打込み反力により被取付部材３６と反対の方向に移動する。またスプリング１７は、スイッチプランジャ１６をトリガアーム２１の自由端部２１ａに対して常に下方に押圧しており、さらに、この荷重は、コンタクトアーム４を上死点に押し上げているスプリング５の荷重よりも大きく設定されているため、スイッチプランジャ１６のトリガアーム２１との接点が力点となり、また枢支部２５が支点となってトリガアーム２１の自由端部２１ａがコンタクトアーム上端部４ｃを押し下げる。（図８参照）
その結果、打込機本体１は被取付部材３６の溝部３６ａから離れるが、コンタクトアーム４の先端部４ａは、被取付部材３６の表面に常に当接するように、打込機本体１に対し相対的に下方に移動する。（図８参照）
コンタクトアーム４が打込機本体１に対し相対的に押し下げられると、図９および図１０に示すように、下降する途中でコンタクトアーム上端部４ｃとトリガアーム２１の自由端部２１ａとの係合が外れ、直後コンタクトアーム４はスプリング５により押圧され上死点に復帰する。この時、係合が外れたトリガアーム２１の自由端部２１ａは、コンタクトアーム４の側面部４ｄに当接する。（図９および図１０参照）
次に、トリガ２０の引き操作を開放すると、トリガ２０は、スイッチプランジャ１６を下方に押圧するスプリング１７により、トリガアーム２１を介し、回動軸２４を中心にスイッチプランジャ１６から離れる向きに回動する。（図１１参照）
トリガアーム２１はスプリング２２により常時前方に押圧されているため、トリガ２０が回動し、コンタクトアーム４の側面部４ｄとトリガアーム２１の自由端部２１ａとがある角度に達すると、トリガアーム２１の自由端部２１ａがコンタクトアーム側面部４ｄをすべり係合位置に再び復帰する。ロックスイッチ１８を完全に開放すると、ロックスイッチ１８は、ロックスイッチ１８を付勢しているスプリング１９によりトリガ２０の引き操作を無効にする位置まで復帰する。つまり、ロックスイッチ１８を完全に開放することにより、ロックスイッチ１８はロック位置に自動復帰する。（図１２参照）
以上説明した動作は、コンタクトアーム４の先端部４ａを被取付部材３６に押し当てながらトリガ２０の通常の引き操作を行うことにより止め具３５を打込む場合である。しかし、コンタクトアーム４の先端部４ａ付近に被取付部材３６が無い場合、トリガ２０の引き込み操作を行うと次のような動作となる。
【００４７】
先ず、ロックスイッチ１８のボタン突出部１８ｃの移動操作を行い、ロックスイッチ１８をロック位置からロック解除位置へ移動する（図４参照）。次いで、トリガ２０の引き込み操作を行う（図５参照）。これにより、上記したようにトリガアーム２１の枢支部２５が移動するため、トリガアーム２１の中央部２１ｂがスイッチプランジャ１６の先端部１６ａに当接する。スイッチプランジャ１６はスプリング１７で常に下方に押圧されており、さらにこの荷重はコンタクトアーム４を上死点に押し上げているスプリング５の荷重よりも大きく設定されている。このため、図８に示した状態と同様な状態となって、スイッチプランジャ１６の先端部１６ａが支点となり、枢支部２５が力点となってトリガアーム２１の自由端部２１ａがコンタクトアーム４の上端部４ｃをスプリング５の荷重に打ち勝って下方に押し下げ、コンタクトアーム４は上死点から下死点位置にスプリング５の押圧に抗して移動する。（図８参照）
結果的に、スイッチプランジャ１６は、上死点へ移動することなく、下死点の状態を保持し、起動スイッチ１５をＯＮさせることはない。すなわち、打込み作業以外の時に、ロックスイッチ１８のロック解除の移動操作、およびトリガ２０の引き込み操作を行っても、打込機本体１は起動しない。
【００４８】
上述したように、コンタクトアーム４が押し下げられると、下降する途中でコンタクトアーム上端部４ｃとトリガアーム２１の自由端部２１ａとの係合が外れ、コンタクトアーム４は上死点に復帰する。さらにトリガ２０を開放すると、トリガアーム２１の自由端部２１ａがコンタクトアーム側面部４ｄをすべり係合位置に再び復帰する。（図１２参照）
以上の実施形態の説明から明らかにされるように、上記本発明によれば、打込機の射出部先端が木材や体の一部等に接触した状態で、打込機本体のハンドルを把持し、かつ意図せずにトリガを把持した場合でも、トリガは、ロックスイッチによるロックが解除されない限り、ロックスイッチにより引き込み操作が阻止されるので、不意な止め具の発射を防止することができる。
【００４９】
また、本発明によれば、ロックスイッチは、使用者がトリガ手段の引き込み操作をする度にロック位置からロック解除位置に操作するので、より完全に止め具の誤発射を防止できる。一方、前記トリガ手段の引き込み操作を開放したときは、ロックスイッチが、自動復帰手段によってロック解除位置からロック位置に自動的に復帰するので、トリガの引き込み操作を開放したときは、ロックスイッチで必ずロックすることができる。この本発明のロック方式は、一度、ロック解除ボタンを引いてしまうと、そのまま引きっぱなしになり、その状態で無意識にトリガを引くと、止め具の誤発射となり易い、従来技術のロック方式に比較して、より安全性の高い打込機を提供することができる。
【００５０】
また、本発明によれば、ハンドルハウジング部を把持する手で、ロック解除およびトリガ手段の引き込み操作を可能とし、また、その把持した手をトリガの引き込み操作から完全に開放するだけで、自動的にロック位置に復帰できるので、安全性を確保しながら、操作性を向上させることができる。特に、本発明によれば、打込機を使用した後は、ロック手段がロック位置に必ず自動復帰するので、打込機を使用する度に、毎回ロックボタンを押し込むという安全意識も高揚することができる。
【００５１】
以上の実施形態では駆動源が電動モータ方式である打込機について説明したが、本発明は、圧縮空気方式およびガス燃焼方式の打込機にも適用することができる。特に、上記実施形態のように電動モータ方式の打込機に適用する場合は、打込機本体の保管時に蓄電池等の駆動源の取り外しを忘れても、必ず、ロックスイッチはロック位置に自動復帰するので、より安全性を確保することができる。また、上記実施形態では、コンタクトアームを押圧部材により常時上死点に押圧する、所謂、プッシュレス方式に適用したが、本発明はコンタクトアームの初期位置を下方向に押圧するプッシュレバー方式に適用することもできる。さらに、スイッチプランジャ等の可動手段はモータ等を含む打撃駆動手段に機械的または電気的に結合することができる。
【００５２】
以上、本発明者によってなされた発明を実施形態に基づき具体的に説明したが、本発明は上記実施形態に限定されるものでなく、その要旨を逸脱しない範囲内で種々の変更が可能である。
【図面の簡単な説明】
【００５３】
【図１】本発明の実施形態に係る打込機の部分断面を含む側面図。
【図２】図１に示した打込機のトリガ部を拡大した拡大断面図。
【図３】図２に示したロックスイッチ部のＡ−Ａ線に沿う断面図。
【図４】図３に示したロックスイッチの移動操作をした場合の状態断面図。
【図５】図３に示したロックスイッチの移動操作をしたロック解除状態の状態断面図。
【図６】図１に示したコンタクトアームの先端部を、ガイドプレートを外した状態で示す正面図。
【図７】図１に示した打込機の打込状態を示す側面図。
【図８】図１に示した打込機の打込直後の状態を示す側面図。
【図９】図１に示した打込機の打込後で、コンタクトアームが上死点に復帰した状態を示す側面図。
【図１０】図９に示した側面図でトリガ部を拡大した拡大断面図。
【図１１】図１に示した打込機で、トリガを開放する途中の状態を示す拡大断面図。
【図１２】図１に示した打込機で、トリガを完全に開放した状態を示す側面図。
【符号の説明】
【００５４】
１：打込機      ２：射出部      ３：射出路      ４：コンタクトアーム
４ａ：コンタクトアームの先端部      ４ｂ：コンタクトアームの中間部
４ｃ：コンタクトアームの上端部      ４ｄ：コンタクトアームの側面部
４ｅ：コンタクトアームの案内竿      ４ｆ：コンタクトアームの案内溝
５：スプリング      ６：ノーズ      ７：打撃バネ      ８：打撃プランジャ
９：ドライバビット      １０：胴体ハウジング部      １１：ハンドルハウジング部
１１ａ：ハンドルハウジング部の基部      １２：電動モータ
１３：蓄電池（電池パック）      １４：マガジン      １５：起動用スイッチ
１５ａ：スイッチボタン      １６：スイッチプランジャ
１６ａ：スイッチプランジャの先端部      １７：スプリング
１８：ロックスイッチ      １８ａ：ロックスイッチの凸部
１８ｂ：ロックスイッチの凹部      １８ｃ：ボタン突出部      １９：スプリング
２０：トリガ      ２０ａ：トリガの壁部（突出部）      ２１：トリガアーム
２１ａ：トリガアームの自由端部      ２１ｂ：トリガアームの中央部
２１ｃ：トリガアームの長穴部    ２２：スプリング      ２３：スイッチレバー
２４：回動軸      ２５：枢支部      ２６：減速機構部      ２７：クラッチ機構部
２８：ドラム      ２９：線材      ３０：ビットガイド      ３０ａ：給送路
３０ｂ：止め具足受け部      ３０ｃ：案内凸部      ３１：ガイドプレート
３２：給送部材      ３３：ねじ      ３４：ねじ      ３５：止め具
３５ａ：連結止め具      ３６：被取付部材      ３６ａ：被取付部材の溝部
４０：伝動機構部      ４１：摩擦車      ４２：ベルト      ４３：摩擦車
【図１】
0004507211.tif 000002
【図２】
0004507211.tif 000003
【図３】
0004507211.tif 000004
【図４】
0004507211.tif 000005
【図５】
0004507211.tif 000006
【図６】
0004507211.tif 000007
【図７】
0004507211.tif 000008
【図８】
0004507211.tif 000009
【図９】
0004507211.tif 000010
【図１０】
0004507211.tif 000011
【図１１】
0004507211.tif 000012
【図１２】
0004507211.tif 000013